【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
医療業務情報サーバおよび看護師用携帯端末がネットワークを介して接続された医療業務システムであって、
一般データベースに、看護師用携帯端末の取り扱いを病院から認可された看護師によって所持される該看護師用携帯端末の看護師用携帯端末ＩＤと、患者ＩＤとの二者関係および医師から看護師への医療業務の指示内容を示すオーダ情報と医療業務について予め設定された看護師作業項目との対応テーブルが予め格納され、
演算処理手段が、患者ＩＤおよび作業日時指示を含むオーダ情報を取得し、予め格納された対応テーブルに基づいて、看護師用携帯端末ＩＤに関連した患者ＩＤについての、前記一般データベースに蓄積された看護師作業項目を抽出し、抽出した看護師作業項目および予め格納された二者関係を参照して取得された看護師用携帯端末ＩＤと、患者ＩＤ、作業日時および看護師作業項目を含んだ、看護師用携帯端末ＩＤ毎の看護師携帯端末提供情報を生成し、生成した前記看護師携帯端末提供情報を看護師用携帯端末参照用データベースに格納させ、看護師用携帯端末から、看護師携帯端末提供情報の提供要求があった時に、看護師用携帯端末参照用データベースを参照して、患者ＩＤ順または作業日時順に並べ替えて看護師携帯端末提供情報を、ネットワークを介して当該看護師用携帯端末に提供すること
を特徴とする医療業務システム。
【請求項２】
請求項１記載の医療業務システムにおいて、演算処理手段が、看護師によって入力された患者ＩＤ、患者情報または診療情報、および看護師用携帯端末ＩＤを含む要求情報を取得し、取得した要求情報に基づいて、一般データベースに蓄積された患者情報または診療情報を抽出し、抽出した患者情報または診療情報を含んだ、取得された看護師用携帯端末ＩＤ毎の看護師携帯端末提供要求情報を生成し、生成した看護師携帯端末提供要求情報を看護師用携帯端末参照用データベースに格納させ、看護師用携帯端末から、看護師携帯端末提供要求情報の提供要求があった時に、看護師用携帯端末参照用データベースを参照して、看護師携帯端末提供要求情報を、ネットワークを介して当該看護師用携帯端末に提供することを特徴とする医療業務システム。
【請求項３】
請求項２記載の医療業務システムにおいて、演算処理手段は、一般データベースに蓄積された患者情報または診療情報のうち、抽出した患者情報または診療情報について、変更や削除の可否状態を判断するためのロックステータスを付与し、ロックステータスが付与された患者情報または診療情報に対しての情報更新を禁止状態にし、看護師携帯端末提供情報の登録更新入力があった時に、ロックステータスが付与された患者情報または診療情報のロックステータスを解除することを特徴とする医療業務システム。
【請求項４】
請求項３記載の医療業務システムにおいて、演算処理手段は、看護師用携帯端末から登録更新入力のあった看護師携帯端末提供情報に含まれる患者情報または診療情報について更新済みステータスを付与して該患者情報または該診療情報を更新し、更新済みステータスが付与された患者情報または診療情報について看護師用携帯端末の画面表示手段に情報が変更された旨を画面表示することを特徴とする医療業務システム。
【請求項５】
請求項４記載の医療業務システムにおいて、演算処理手段は、ロックステータスが付与された患者情報または診療情報に対しての情報更新の要求を取得した時に、取得した要求に基づいて看護師用携帯端末参照用データベースに格納された看護師携帯端末提供要求情報に含まれる患者情報または診療情報の情報更新を行うことを特徴とする医療業務システム。
【請求項６】
請求項５記載の医療業務システムにおいて、演算処理手段は、情報更新が行われた看護師用携帯端末参照用データベースに格納された看護師携帯端末提供要求情報に含まれる患者情報または診療情報に対して通知フラグを付与し、通知フラグを付与された患者情報または診療情報について、看護師用携帯端末の画面表示手段に情報更新が行なわれた旨の画面表示を行うことを特徴とする医療業務システム。
【請求項７】
請求項５記載の医療業務システムにおいて、演算処理手段は、ロックステータスが付与された患者情報または診療情報に対しての情報更新の要求を取得した時に、情報更新を要求された患者情報または診療情報に相当する、看護師携帯端末提供情報に含まれる患者情報または診療情報に更新済みステータスが付与されている場合に、該患者情報または該診療情報の情報更新を禁止状態にすることを特徴とする医療業務システム。
【請求項８】
請求項１記載の医療業務システムにおいて、一般データベースに、看護師用携帯端末の取り扱いを病院から認可された看護師の看護師ＩＤと看護師用携帯端末ＩＤとの二者関係が予め格納され、演算処理手段は、看護師用携帯端末から看護師携帯端末提供要求情報の要求があった場合に、予め格納された二者関係を参照し、看護師用携帯端末参照用データベースを参照して、看護師携帯端末提供情報を、ネットワークを介して当該看護師用携帯端末に提供することを特徴とする医療業務システム。
【請求項９】
請求項１乃至８のいずれか一項に記載の医療業務システムにおける医療業務情報サーバであって、
一般データベースに、看護師用携帯端末の取り扱いを病院から認可された看護師によって所持される該看護師用携帯端末の看護師用携帯端末ＩＤと、患者ＩＤとの二者関係および医師から看護師への医療業務の指示内容を示すオーダ情報と医療業務について予め設定された看護師作業項目との対応テーブルが予め格納され、
演算処理手段が、患者ＩＤおよび作業日時指示を含むオーダ情報を取得し、予め格納された対応テーブルに基づいて、看護師用携帯端末ＩＤに関連した患者ＩＤについての、前記一般データベースに蓄積された看護師作業項目を抽出し、抽出した看護師作業項目および予め格納された二者関係を参照して取得された看護師用携帯端末ＩＤと、患者ＩＤおよび作業日時を含んだ、看護師用携帯端末ＩＤ毎の看護師携帯端末提供情報を生成し、生成した前記看護師携帯端末提供情報を看護師用携帯端末参照用データベースに格納させ、看護師用携帯端末から、看護師携帯端末提供情報の提供要求があった時に、看護師用携帯端末参照用データベースを参照して、患者ＩＤ順または作業日時順に並べ替えて看護師携帯端末提供情報を、ネットワークを介して当該看護師用携帯端末に提供すること
を特徴とする医療業務システムにおける医療業務情報サーバ。
【請求項１０】
医療業務情報サーバおよび看護師用携帯端末がネットワークを介して接続された医療業務システムによって処理する処理方法であって、
演算処理手段が、一般データベースに、看護師用携帯端末の取り扱いを病院から認可された看護師によって所持される該看護師用携帯端末の看護師用携帯端末ＩＤと、患者ＩＤとの二者関係および医師から看護師への医療業務の指示内容を示すオーダ情報と医療業務について予め設定された看護師作業項目との対応テーブルを予め格納し、
演算処理手段が、患者ＩＤおよび作業日時指示を含むオーダ情報を取得し、予め格納された対応テーブルに基づいて、看護師用携帯端末ＩＤに関連した患者ＩＤについての、前記一般データベースに蓄積された看護師作業項目を抽出し、抽出した看護師作業項目および予め格納された二者関係を参照して取得された看護師用携帯端末ＩＤと、患者ＩＤおよび作業日時を含んだ、看護師用携帯端末ＩＤ毎の看護師携帯端末提供情報を生成し、生成した前記看護師携帯端末提供情報を看護師用携帯端末参照用データベースに格納させ、看護師用携帯端末から、看護師携帯端末提供情報の提供要求があった時に、看護師用携帯端末参照用データベースを参照して、患者ＩＤ順または作業日時順に並べ替えて看護師携帯端末提供情報を、ネットワークを介して当該看護師用携帯端末に提供すること
を特徴とする医療業務システムの処理方法。
【手続補正２】
【補正対象書類名】明細書
【補正対象項目名】０００７
【補正方法】変更
【補正の内容】
【０００７】
本発明の医療業務システムは、医療業務情報サーバおよび看護師用携帯端末がネットワークを介して接続された医療業務システムであって、
一般データベースに、看護師用携帯端末の取り扱いを病院から認可された看護師によって所持される該看護師用携帯端末の看護師用携帯端末ＩＤと、患者ＩＤとの二者関係および医師から看護師への医療業務の指示内容を示すオーダ情報と医療業務について予め設定された看護師作業項目との対応テーブルが予め格納され、
演算処理手段が、患者ＩＤ、作業日時指示および看護師作業項目を含むオーダ情報を取得し、予め格納された対応テーブルに基づいて、看護師用携帯端末ＩＤに関連した患者ＩＤについての、一般データベースに蓄積された看護師作業項目を抽出し、抽出した看護師作業項目および予め格納された二者関係を参照して取得された看護師用携帯端末ＩＤと、患者ＩＤ、作業日時および看護師作業項目を含んだ、看護師用携帯端末ＩＤ毎の看護師携帯端末提供情報を生成し、生成した看護師携帯端末提供情報を看護師用携帯端末参照用データベースに格納させ、看護師用携帯端末から、看護師携帯端末提供情報の提供要求があった時に、看護師用携帯端末参照用データベースを参照して、患者ＩＤ順または作業日時順に並べ替えて看護師携帯端末提供情報を、ネットワークを介して当該看護師用携帯端末に提供すること
を特徴としている。